(57)【要約】【課題】パネルを非直線的（曲線的）に配列して設置でき、手動による簡単な開閉操作でパネルを個々に開閉して、パネルを所定の開き角度でパネルを開いた状態と閉じた状態にロックできる仕切り構体を提供する。【解決手段】パネル１の上下に突き出した支軸２，２を、上下に配設した軸受３，３に回転可能に軸受けさせて、大きい隙間が生じないようにパネル１を複数枚並べて開閉可能に立設すると共に、パネル１が閉じた状態と所定の開き角度で開いた状態においてパネル１の回転をロックし且つ手動でロックを解除し得るロック手段をパネルごとに設けた構成の仕切り構体とする。好ましくは、パネルの下側の支軸２から外側に突き出した固定ピンと、下側の軸受３内部に形成され、かつ、パネル１が閉じた状態と所定の開き角度で開いた状態において上記固定ピンが嵌り込む嵌合溝とからなるロック手段を設ける。【選択図】図１
2006125080.tif 000002
【特許請求の範囲】
【請求項１】
パネルの上下に突き出した支軸を、上下に配設した軸受に回転可能に軸受けさせて、パネルを開閉可能に立設すると共に、パネルが閉じた状態と所定の開き角度で開いた状態においてパネルの回転をロックし且つ手動でロックを解除し得るロック手段をパネルに設けたことを特徴とする仕切り構体。
【請求項２】
パネルを閉じたときにパネル間に大きな隙間が生じないようにパネルを複数枚並べて立設したことを特徴とする請求項１に記載の仕切り構体。
【請求項３】
上下の軸受を非直線的に配設し、各パネルを非直線的に配列させたことを特徴とする請求項１又は請求項２のいずれかに記載の仕切り構体。
【請求項４】
ロック手段が、パネルの下側の支軸から外側に突き出した固定ピンと、下側の軸受内部に形成され、かつ、パネルが閉じた状態と所定の開き角度で開いた状態において上記固定ピンが嵌り込む嵌合溝とからなることを特徴とする請求項１ないし請求項３のいずれかに記載の仕切り構体。
【請求項５】
パネルの支軸がパネルの中心線より片側に偏位していることを特徴とする請求項１ないし請求項４のいずれかに記載の仕切り構体。
【請求項６】
パネルが、合成樹脂製の中空構造体であることを特徴とする請求項１ないし請求項５のいずれかに記載の仕切り構体。
【発明の詳細な説明】
【技術分野】
【０００１】
本発明は、所定の開き角度で開閉するパネルからなる仕切り構体に関する。
【背景技術】
【０００２】
近年、野外のイベントホールやミュージアムとして、ガラス張りの外壁を有する建造物を見かけることが多くなってきた。このような建造物では、ガラス張りの透明な外壁の内側に、開閉することによって透視を可能としたり目隠しの役目を果たしたりするブラインド兼用の仕切り構体を設けることが望ましい。
【０００３】
ところで、ブラインド間仕切り装置として、上下に伸びる軸を中心として揺動可能なパネルを複数枚並べて天井梁から吊設し、各パネルの軸にピニオンを取付けると共に、各ピニオンと噛み合うラックをスライド可能に設け、このラックをスライドさせることで各パネルを一斉に開閉させるようにしたものが提案されている（特許文献１）。
【０００４】
しかしながら、上記のブラインド間仕切り装置は、各パネルを個別に開閉できないという問題があり、また、各パネルを非直線的（曲線的）に配列して吊設すると、ラックのスライドにより各パネルを一斉に開閉させることが難しいため、野外のイベントホールやミュージアムなどの曲面ガラスを張った外壁の内側沿いに、パネルを曲線的に配列して上記のブラインド間仕切り装置を設置することは難しいという問題があった。
【特許文献１】特開２００４−１１６１６８号公報
【発明の開示】
【発明が解決しようとする課題】
【０００５】
本発明は上記の問題に対処するためになされたもので、手動による簡単な開閉操作でパネルを個々に開閉して、パネルを所定の開き角度で開いた状態と閉じた状態にロックできる仕切り構体を提供することを解決課題としている。
【課題を解決するための手段】
【０００６】
上記の課題を解決するため、本発明の仕切り構体は、パネルの上下に突き出した支軸を、上下に配設した軸受に回転可能に軸受けさせて、パネルを開閉可能に立設すると共に、パネルが閉じた状態と所定の開き角度で開いた状態においてパネルの回転をロックし且つ手動でロックを解除し得るロック手段をパネルに設けたことを特徴とするものである。
【０００７】
本発明の仕切り構体においては、パネルを閉じたときにパネル間に大きな隙間が生じないようにパネルを複数枚並べて立設してもよい。また、上下の軸受を非直線的に配設し、各パネルを非直線的に配列させてもよい。ロック手段としては、パネルの下側の支軸から外側に突き出した固定ピンと、下側の軸受内部に形成され、かつ、パネルが閉じた状態と所定の開き角度で開いた状態において上記固定ピンが嵌り込む嵌合溝とからなるものが好ましい。そして、パネルの支軸はパネルの中心線より片側に偏位していることが好ましく、パネルは合成樹脂製の中空構造体であることが好ましい。
【発明の効果】
【０００８】
本発明の仕切り構体は、閉じた状態と所定の角度で開いた状態のときにロック手段でロックされたパネルを手動で解除できるので、閉じた状態と開いた状態とを簡単に変更でき、開閉頻度の高い場所においても使用できる。閉じた状態では人の出入りができず、開いた状態では人が自由に出入りできる。
特に、パネルを閉じたときにパネル間に大きな隙間が生じないようにパネルを複数枚並べて立設した仕切り構体は、各パネルが閉じた状態でロック手段により回転不能にロックされているときに、仕切りやブラインドの役目を果たす。そして、各パネルはそのロック手段を手動で解除して個別に開閉することができ、全てのパネルまたは一部のパネルを所定の開き角度で回転させて開くと、その開いた状態でパネルがロック手段により回転不能にロックされて、パネルの開いた部分から人が出入りしたり、向こう側を眺めたりすることができる。このような仕切り構体は、ピニオンとラックによって全てのパネルを一斉に開閉するものではなく、手動でロック手段を解除してパネルを個別に開閉するものであり、ロック手段もパネルごとに設けられているため、上下の軸受を非直線的（曲線的）に配設するだけで、各パネルが曲線的に配列した仕切り構体を構築することができる。従って、例えば野外のイベントホールなどの曲面ガラスを張った湾曲する外壁の内側に沿わせて仕切り構体を構築することも容易である。
【０００９】
また、パネルの下側の支軸から外側に突き出した固定ピンと、下側の軸受内部に形成された上記固定ピンの嵌り込む嵌合溝とからなるロック手段を、パネルごとに設けた仕切り構体は、パネルを手で少し持ち上げて固定ピンを嵌合溝から外すとロックが解除されるので、この解除された状態でパネルを回転させて簡単に開閉することができる。その場合、パネルが合成樹脂製の中空構造体であると、パネルが軽量であるため、ロック解除操作やパネル開閉操作を楽に行うことができる。そして、パネルが所定の開き角度で開いたとき、及び、パネルが閉じたときには、パネルの自重で固定ピンが嵌合溝に嵌り込み、パネルが回転不能にロックされる。
【００１０】
また、パネルの支軸をパネルの中心線より片側に偏位させた仕切り構体は、例えばガラス張りの外壁の内側に沿って構築する際に、パネルから外壁の内面までの間隔を狭めることができるので、屋内空間をより広く活用することができる。即ち、支軸がパネルの中心線上に設けられている場合は、パネルから外壁の内面までの間隔を少なくともパネルの横幅の半分とすることが必要になるが、支軸が偏位している場合は、偏位している側のパネル側端から支軸までの寸法に相当する間隔をあければよいので、パネルから外壁の内面までの間隔を狭めて屋内空間を有効活用することができる。
【発明を実施するための最良の形態】
【００１１】
以下、図面を参照して本発明の具体的な実施形態を詳述する。
【００１２】
図１は本発明の一実施形態に係る複数枚のパネルからなる仕切り構体の各パネルが閉じた状態を示す斜視図、図２は同仕切り構体の各パネルが開いた状態を示す斜視図、図３は湾曲した外壁の内側に沿って設けた同仕切り構体の概略平面図、図４は同仕切り構体のパネルの正面図、図５は図４のＡ−Ａ線断面図、図６はパネル下端の支軸の軸受け部分の分解図、図７はパネル下端の支軸取付け部分の分解断面図、図８はカバーを省略した軸受の平面図、図９は図８のＢ−Ｂ線断面図、図１０はパネルを回転させているときのパネル下端の支軸の軸受け部分の断面図、図１１は軸受の他の例を示す部分斜視図、図１２は軸受の更に他の例を示す部分斜視図である。
【００１３】
この仕切り構体は、図１，図３に示すごとく、パネルを閉じたときにパネル間に大きい隙間が生じないように複数枚のパネル１を並べ、図４に示すごとく各パネル１の上下に突き出した支軸２，２を、上下に配設した軸受３，３にそれぞれ軸受けさせて、各パネル１を開閉可能に立設したものである。そして、図１に示すようにパネル１が閉じた状態と図２に示すように所定の開き角度で開いた状態においてパネル１の回転をロックし、且つ、手動でロックを解除し得る後述のロック手段を、パネル１ごとに設けたものである。
【００１４】
この実施形態の仕切り構体では、図３に示すように、円弧状の曲面ガラス４よりなる外壁の内側に沿って、上下の軸受３，３をそれぞれ非直線的、即ち、円弧曲線的に配設し、各パネル１が曲面ガラス４と一定の間隔をあけて円弧状に配列するように構成しているが、軸受３，３を直線的に配設して各パネル１を直線状に配列したり、軸受３，３を任意曲線的に配設して各パネル１を任意曲線状に配列しても勿論よい。
【００１５】
このパネル１は、図４，図５に示すように、合成樹脂製の中空構造のパネル本体１ａの周囲にアルミニウム等の金属製又は合成樹脂製の枠体１ｂを取付けたもので、パネル１の一側端には金属製又は合成樹脂製のアングル材１ｃが取付けられている。このアングル材１ｃは、図３に示すように各パネル１を閉じたときに、アングル材１ｃの側方の延出片によりパネル相互の小さな隙間を塞いで透視を防止する役目を果たすものである。
【００１６】
パネル本体１ａは、図５に示すように、前後の表面層１１ａ，１１ａと、その内側の２つの中間層１２ａ，１２ａと、前後方向及び斜め方向の複数のリブ１３ａ、１４ａとで構成された中空構造の軽量な四層板状成形体であって、強度があり、断熱性や遮音性も備えたものである。このパネル本体１ａは、適度な採光性と隠蔽性を備えることが好ましく、例えば、３０〜９０％程度、好ましくは５０３５〜７０％の全光線透過率と、３０〜６０％程度のヘーズ値を有するパネル本体１ａが好ましく使用される。
【００１７】
パネル本体１ａの中心線より片側に偏位した２つの中空部（中間層１２ａとリブ１４ａとで囲まれた中空部）には、２本の補強用パイプ１ｄ，１ｄが上下方向の全長に亘り挿通されており、これらのパイプの両端は、後述する支軸取付板２ａと共にネジでパネルの下側の枠体１ｂに固定されている。
【００１８】
パネル１の下側の支軸２は、図７に示すような短い金属製の筒体からなるもので、金属製の支軸取付板２ａに溶接等の手段で接合されている。この支軸２は、図６に示すように、パネル１の中心線からアングル材１ｃが取付けられた側端の方に偏位して前記補強用パイプ１ｄ，１ｄの下側に配置され、図６，図７に示すように、その支軸取付板２ａを下側の枠体１ｂにネジ５ａ，５ａで固定することによって取付けられている。そして、図７に示すように、補強用パイプ１ｄ，１ｄの下端に嵌合されたパイプ固定材１ｆ，１ｆにもネジ５ｂ，５ｂをねじ込み、支軸取付板２ａと共に補強用パイプ１ｄ，１ｄの下端を固定している。
【００１９】
パネル１の上側の支軸２も上記と同様の構成であり、同様に取付けられているので、説明を省略する。また、補強用パイプ１ｄ，１ｄの上端の固定も上記と同様であるから、説明を省略する。
なお、補強用パイプ１ｄは、パネル１の剛性等の強度不足を補うものであるので、パネル本体１ａに強度を持たせるか或は枠体１ｂで強度を持たせることによりパネル１の強度を向上させれば必ずしも設ける必要はない。この場合は、上下の支軸取付板２ａを枠体１ｂにのみに固定することとなる。
【００２０】
パネル１の下側の支軸２には固定ピン６が直径方向に貫通し、この固定ピン６の両端が支軸２の外側へ突出している。そして、この下側の支軸２を受ける軸受３は、図９に示すように支軸２の下部が嵌まる凹部３ａと、図１０に示すように支軸２をパネルと共に持ち上げて回転させるときに固定ピン６の両端を支える環状の段部３ｂとを、軸受内部に備えたものであって、この環状の段部３ｂには、図８に示すように、パネルが閉じた状態のときに固定ピン６の両端が嵌り込む嵌合溝３ｃ，３ｃと、パネルが所定の開き角度で開いた状態のときに固定ピンの両端が嵌り込む嵌合溝３ｄ，３ｄが形成されている。この実施形態では、パネルの開き角度が６０°となるように、嵌合溝３ｃ，３ｃと嵌合溝３ｄ，３ｄを６０°の角度間隔をもって形成しているが、これに限定されるものではなく、所望の開き角度とすることができ、また、場合によっては開き角度の異なる嵌合溝を増設して、パネル１の開き角度を選択できるようにしてもよい。このような下側の軸受３は、曲面ガラス５の内側に沿って床面等に面一に埋設され、二分割のドーナツ板状の蓋体３ｅが被着される。
【００２１】
上記の固定ピン６と嵌合溝３ｃ，３ｃ，３ｄ，３ｄは、パネル１が閉じた状態と所定の開き角度で開いた状態においてパネル１の回転をロックし且つ手動でロックを解除し得るロック手段として設けられたものであって、パネル１が閉じた状態のときには、固定ピン６の両端が嵌合溝３ｃ，３ｃに嵌り込んでパネル１及び支軸２が回転不能にロックされる。そして、支軸２をパネル１と共に持ち上げて固定ピン６の両端を嵌合溝３ｃ，３ｃから外すとロックが解除されるので、図１０に示すように固定ピン６の両端を段部３ｂに支持させてパネル１を支軸２と共に回転させることにより簡単にパネル１を開くことができる。そして、所定の開き角度（６０°）までパネル１を開くと、パネル１の自重で固定ピン６の両端が嵌合溝３ｄ，３ｄに嵌り込んで、パネル１が回転不能にロックされる。また、パネル１を閉じるときは、上記と逆の操作で簡単に閉じることができる。
【００２２】
パネル１の上側の支軸２や軸受３には上記のロック手段を設ける必要がないので、上側の支軸２には固定ピンを貫通させていないが、上側の軸受３は上記の下側の軸受３をそのまま流用している。なお、上側の軸受３として、支軸２を受ける凹部３ａのみを形成したものを使用してもよいことは言うまでもない。
【００２３】
上記の軸受３は環状の水平な段部３ｂに嵌合溝３ｃ、３ｄを形成しているが、図１１に示す軸受３０のように、嵌合溝３ｃと嵌合溝３ｄとの間の段部の形状を、嵌合溝３ｃ、３ｄの底部から斜めに立ち上がる左右の傾斜面３ｆ，３ｇを備えた山形に変更しても良い。このような軸受３０は、パネル１が閉じて固定ピン６の端部が嵌合溝３ｃに嵌り込んでロックされた状態からパネル１を回転させると、ロックが解除されて固定ピン６の端部が左側の傾斜面３ｆを上昇し、さらに右側の傾斜面３ｇを下降して嵌合溝３ｄに嵌り込むため、パネル１を持ち上げる必要がなく、パネル１を強制的に回転させるだけでパネル１を所定の角度だけ開いてロックすることができる。そして、パネル１を逆方向に回転させると、ロックが解除されて固定ピン６の端部が右側の傾斜面３ｇを上昇し、さらに左側の傾斜面３ｆを下降して嵌合溝３ｃに嵌り込むので、パネル１を持ち上げなくても閉じてロックすることができる。
【００２４】
以上のような構成の仕切り構体は、曲面ガラス４を張った外壁などの内側に沿って非直線的に各パネル１を配列して構築することができ、各パネル１が閉じた状態でロックされているときには仕切りやブラインドの役目を果たし、各パネル１が所定の開き角度で開いてロックされたときには、屋内から屋外を眺めたり屋外から屋内を見ることができる。特に、パネル本体１ａの全光線透過率が３０〜９０％で、ヘーズ値が３０〜６０％である場合は、適度な採光性と隠蔽性を備え、野外のイベントホールやミュージアム等に適した仕切り構体を構築することができる。しかも、パネル１の開閉は、前記の軸受３を使用した場合は、パネル１を持ち上げてロックを解除しながら回転するだけの簡単な操作でパネル１ごとに行うことができ、パネル１が軽量であるため女性でも容易に開閉することが可能であり、また、前記の軸受３０を使用した場合は、力を加えてパネル１を強制的に回転させるだけで極く簡単に行うことができる。そして、支軸２がパネル１の中心線より片側に偏位しているため、パネル１から曲面ガラス４を張った外壁までの間隔を狭めて屋内空間をより広く活用することもできる。
【００２５】
以上、最良の実施形態を上げて本発明の仕切り構体を説明したが、本発明はこの実施形態のみに限定されるものではなく、例えば以下のような種々の変更態様が許容されるものである。
即ち、ロック手段として、上記実施形態のロック手段に代えて、支軸２の下端および軸受３の凹部３ａ底面のいずれか一方に突起を設け、かつ、いずれか他方に該突起と係合する凹入部を設けたものを採用してもよい。また、嵌合溝３ｄを更に増設して適宜の角度でロックできるようにすることで、パネル１の開き角度を変更できるようにしてもよい。
また、上記実施形態ではパネル１として、中空構造のパネル本体１ａに枠体１ｂを取付けたものを採用しているが、中空構造体でなくとも中実構造のものでもよいし、その材質も合成樹脂に限らずガラスや木などの他材質であってもよい。また、枠体は必ずしも必要ではなく、パネルに剛性が不足する場合に必要に応じて設ければよいのであって、例えばパネル本体１ａが複層ガラス或は厚みの厚い合成樹脂製の中空構造のパネルなどであれば設ける必要はない。ただ割れにくくしたり、危険予防の点からは枠材を設けることが好ましい。
さらに、上記実施形態では、パネル１を複数枚並べて立設した仕切り構体としているが、一枚のみのパネルを立設した仕切り構体としてもよい。また、パネル１の支軸２を偏在させることなく、パネル１の中心線に設けてもよく、この場合はパネル１の内と外とに同じだけの距離が必要となるので、特に室内を仕切る間仕切りやドアなどとして使用することが好ましい。このように支軸２をパネル１の中心線に設ける場合は、前記実施形態の軸受３、３０でもよいが、図１２に示すような軸受３１、即ち、固定ピン６の端部が嵌り込む嵌合溝３ｃ，３ｄ…を増設し、各嵌合溝の間の段部３ｂの表面を一回転方向に傾斜する傾斜面３ｈとした軸受３１を採用することによって、パネルを一方向に強制的に回転させるだけで、異なる開き角度で数段階にパネルを開いてロックできる仕切り構体とすることもできる。
【図面の簡単な説明】
【００２６】
【図１】本発明の一実施形態に係る複数枚のパネルからなる仕切り構体の各パネルが閉じた状態を示す斜視図である。
【図２】同仕切り構体の各パネルが開いた状態を示す斜視図である。
【図３】湾曲した外壁の内側に沿って設けた同仕切り構体の概略平面図である。
【図４】同仕切り構体のパネルの正面図である。
【図５】図４のＡ−Ａ線断面図である。
【図６】パネル下端の支軸の軸受け部分の分解図である。
【図７】パネル下端の支軸取付け部分の分解断面図である。
【図８】カバーを省略した軸受の平面図である。
【図９】図８のＢ−Ｂ線断面図である。
【図１０】パネルを回転させているときのパネル下端の支軸の軸受け部分の断面図である。
【図１１】軸受の他の例を示す部分斜視図である。
【図１２】軸受の更に他の例を示す部分斜視図である。
【符号の説明】
【００２７】
１    パネル
１ａ  中空構造のパネル本体
１ｂ  枠体
１ｃ  アングル材
１ｄ  補強用パイプ
２    支軸
２ａ  支軸取付板
３，３０，３１  軸受
３ａ  支軸の下部を受ける凹部
３ｂ  段部
３ｃ，３ｄ  嵌合溝
４    曲面ガラス
６    固定ピン
【図１】
2006125080.tif 000003
【図２】
2006125080.tif 000004
【図３】
2006125080.tif 000005
【図４】
2006125080.tif 000006
【図５】
2006125080.tif 000007
【図６】
2006125080.tif 000008
【図７】
2006125080.tif 000009
【図８】
2006125080.tif 000010
【図９】
2006125080.tif 000011
【図１０】
2006125080.tif 000012
【図１１】
2006125080.tif 000013
【図１２】
2006125080.tif 000014